(57)【要約】【課題】  エレベータのかご内の通風と換気を行う空調装置の改良。【解決手段】  エレベータのかご２の天井１に円盤状部と環状部とを有する躯体９と躯体９内を回動するファン１３を備えた空調装置１０を設ける。また環状部の内周側１５には、固定板１６と吸入口１７とスライド可能な遮蔽板１８を設ける。更に環状部の外周側２１には、送風口２０を設け、また環状部の上部にはかご外に連通する連通口３０を設ける。  そしてファン１３を回転することによって、矢印ａで示すような、吸入口１７から送風口２０への空気の流れ、及び矢印ｂで示すような、連通口３０から送風口２０への空気の流れを発生させ、かご２内の通風と換気を行う。【選択図】      図１
2015147627.tif 000002
【特許請求の範囲】
【請求項１】
かごの天井に空調装置を設けたものにおいて、
この空調装置は、円盤状部と環状部とを有する躯体と、この躯体内を回動するファンと、
前記躯体の環状部の内周側に設けられた吸入口と、
前記吸入口を開閉可能な遮蔽板と、
前記躯体の環状部の外周側に設けられた送風口と
かご外と連通する連通口とを備えていることを特徴とするエレベータのかご。
【請求項２】
前記空調装置は、前記吸入口から空気を吸入し、前記送風口から空気をかご内へ送風し、前記連通口から空気を吸入及び排出が可能な構成であることを特徴とする請求項１に記載のエレベータのかご。
【請求項３】
前記連通口には防音カバーが設けられていることを特徴とする請求項１又は２に記載のエレベータのかご。
【請求項４】
前記かごのかご内温度を検出する装置を備え、
前記かご内温度が、予め設定された最適温度よりも高いときは、空調装置の風量を上げ、
前記かご内温度が、予め設定された最適温度よりも低いときは、空調装置の風量を下げることを特徴とする請求項１乃至３の何れかに記載のエレベータのかご。
【請求項５】
前記かごのかご内温度と、かご外温度を検出する装置を備え、
前記かご内温度が、予め設定された最適温度及びかご外温度よりも低いときには、かご内とかご外の空気の換気比率を上げ、
前記かご内温度が、予め設定された最適温度よりも低く、かつかご外温度よりも高いときには、かご内とかご外の空気の換気比率を下げることを特徴とする請求項１乃至４の何れかに記載のエレベータのかご。
【請求項６】
前記かごのかご内温度と、かご外温度を検出する装置を備え、
前記かご内温度が、予め設定された最適温度及びかご外温度よりも高いときには、かご内とかご外の空気の換気比率を上げ、
前記かご内温度が、予め設定された最適温度よりも高く、かつかご外温度よりも低いときには、かご内とかご外の空気の換気比率を下げることを特徴とする請求項１乃至５の何れかに記載のエレベータのかご。
【請求項７】
前記最適温度は一定の温度幅を有していることを特徴とする請求項４乃至６の何れかに記載のエレベータのかご。
【請求項８】
前記かごのかご内温度と、かご外温度と、かご内湿度を検出する検出する装置を備え、
前記かご内温度とかご内湿度によって、前記空調装置の風量と換気比率が決められたテーブルを、前記かご内温度とかご外温度の大小によって複数有しており、
前記かご内温度とかご内湿度により前記各テーブルを参照して、風量と換気比率を決定することを特徴とする請求項１乃至３の何れかに記載のエレベータのかご。
【請求項９】
前記かごには臭気センサ又は／及びほこりセンサを備えており、これらのセンサの検出結果に基づいてかご内とかご外の空気の換気比率を変更することを特徴とする請求項１乃至８の何れかに記載のエレベータのかご。
【請求項１０】
前記かごは、エアコンと、前記送風口を開閉可能な遮蔽板と、前記吸入口を開閉可能な遮蔽板とを有し、
前記連通口の一部は前記エアコンに連結されていることを特徴とする請求項１乃至９の何れかに記載のエレベータのかご。
【発明の詳細な説明】
【技術分野】
【０００１】
本発明は、エレベータのかご内の通風と換気を行う空調装置を備えたエレベータかごに関するものである。
【背景技術】
【０００２】
エレベータのかごには、空調装置として換気機能を有する空調ファンが設けられることが多いが、これにとどまらずかご内空気の循環機能と換気機能を併せ持った空調装置を設けたものも考えられている。
【０００３】
この装置の一例を図  により説明する。図１２（ａ）はエレベータのかごの平面図、図１２（ｂ）は同じく正面図、図１３（ａ）は図１２（ａ）のＡ−Ａ断面図、図１３（ｂ）は図１２（ａ）のＢ−Ｂ断面図、図１４は図１３に対応する図である。
図において、５１はかご、５２はかご５１の天井、５３は天井５２に設けられた照明装置である。５４は天井５２に設けられた吸気口、５５は同じく排気口であり、吸気口５４はかご５１の内壁と照明装置５３との間に形成された吸気ダクト５６を通してかご５１に連通し、排気口５５はかご５１の内壁と照明装置５３との間に形成された排気ダクト５７を通してかご５１に連通し、吸気ダクト５６と排気ダクト５７は仕切られている。
【０００４】
６０は天井５２の上に設けた通気ケースで、吸気口５４に連通する吸気室６１と、排気口５５に連通する排気室６２が形成されている。また、図１３（ａ）において、吸気室６１の左右両端部に排気室６２が配置され、両室間には開閉自在なシャッター６３が設けられている。
通気ケース６０は、内面に消音材６４が貼られており、吸気室６１を外気に連通するラビリンス状の消音細隙部６５が設けられるとともに、排気室６２を外気に連通するラビリンス状の消音細隙部６６が設けられている。
【０００５】
７０は、それぞれ吸込口７１と吐出口７２とを備え、吸気室６１内に配置された送風機で、この送風機７０の吐出口７２は吸気口５４に接続され、吸込口７１は吸気室６１に開口している。
【０００６】
次に、前記装置の動作について説明する。
図１３に示すように、シャッター６３が開放状態にあるとき、送風機７０の運転により、かご５１内の空気（矢印）は、排気ダクト５７  →  排気口５５  →  排気室６２  →  シャッター６３の開口部  →  吸気室６１  を通って送風機７０の吸込口７１に流入する。
更に、送風機７０の吐出口７２から吐出される空気は、吸気口５４及び吸気ダクト５６を通ってかご５１内に送り込まれる循環送風を行う。
この送風では、消音細隙部６５，６６を通して行う換気通風はほとんどない。
【０００７】
次に、シャッター６３を適当量だけ開いて、通過する風量を絞った場合について、図１４により説明する。
前記と同様に、かご５１内の空気（矢印）は、排気ダクト５７  →  排気口５５  →  排気室６２  →  シャッター６３の開口部  →  吸気室６１  を通って送風機７０の吸込口７１に流入するが、シャッター６３の開放量が少ないため、空気の一部は、排気室６２から消音細隙部６６を通って外部に排気される。
更に、消音細隙部６５から吸気室６１に外気が流入し、前記のシャッター６３の開口部からの空気と混合されて、吸込口７１に流入し、吐出口７２から吸気口５４及び吸気ダクト５６を通ってかご５１内に送り込まれる。これにより、一部の空気が換気送風される。
【０００８】
このように、シャッター６３の開度を調整して、絞りを増減することにより、外気の流入量を調節することができる。
【先行技術文献】
【特許文献】
【０００９】
【特許文献１】特開昭５３−２８４５号公報
【発明の概要】
【発明が解決しようとする課題】
【００１０】
前記の従来技術は、かごの天井の上に複雑な構成の通気装置を設置しているため、かごの高さが高くなってしまい、また、シャッターを内蔵する構成のため、シャッターの開度調整を外から手動で行うことは困難である。
更に、かご内への空気の吸気ダクトはかご内周の一部に開口しているのみであるため、送風が一部の乗客にしか行かないという問題がある。また、潤沢な風量を得るためには、送風機７０の直径を大きくする必要があるが、構造上、送風機７０の直径を大きくすることができないという問題もある。
本発明は、上記の課題を解決することを目的とするものである。
【課題を解決するための手段】
【００１１】
本発明は、かごの天井に空調装置を設けたものにおいて、この空調装置は、円盤状及び環状の躯体と、この躯体内を回動するファンと、前記躯体の環状部の内周側に設けられた吸入口と、前記吸入口を開閉可能な遮蔽板と、前記躯体の環状部の外周側に設けられた送風口と、かご外と連通する連通口とを備えていることを特徴とするものである。
【００１２】
また本発明は、前記空調装置は、前記吸入口から空気を吸入し、前記送風口から空気をかご内へ送風し、前記連通口から空気を吸入及び排出が可能な構成であることを特徴とするものである。
更に、本発明は、前記連通口には防音カバーが設けられていることを特徴とするものである。
更にまた、本発明は、前記かごのかご内温度を検出する装置を備え、前記かご内温度が、予め設定された最適温度よりも高いときは、空調装置の風量を上げ、前記かご内温度が、予め設定された最適温度よりも低いときは、空調装置の風量を下げることを特徴とするものであり、
【００１３】
また、本発明は、前記かごのかご内温度とかご外温度を検出する装置を備え、前記かご内温度が、予め設定された最適温度及びかご外温度よりも低いときには、かご内とかご外の空気の換気比率を上げ、前記かご内温度が、予め設定された最適温度よりも低く、かつかご外温度よりも高いときには、かご内とかご外の空気の換気比率を下げることを特徴とするものである。
更に本発明は、前記かごのかご内温度と、かご外温度を検出する装置を備え、前記かご内温度が、予め設定された最適温度及びかご外温度よりも高いときには、かご内とかご外の空気の換気比率を上げ、前記かご内温度が、予め設定された最適温度よりも高く、かつかご外温度よりも低いときには、かご内とかご外の空気の換気比率を下げることを特徴とするものである。
【００１４】
また本発明は、前記最適温度は一定の温度幅を有していることを特徴とするものである。
更に本発明は、前記かごのかご内温度と、かご外温度と、かご内湿度を検出する検出する装置を備え、前記かご内温度とかご内湿度によって、前記空調装置の風量と換気比率が決められたテーブルを、前記かご内温度とかご外温度の大小によって複数有しており、前記かご内温度とかご内湿度により前記各テーブルを参照して、風量と換気比率を決定することを特徴とするものである。
【００１５】
また本発明は、前記かごには臭気センサ又は／及びほこりセンサを備えており、これらのセンサの検出結果に基づいてかご内とかご外の空気の換気比率を変更することを特徴とするものである。
更に本発明は、前記かごは、エアコンと、前記送風口を開閉可能な遮蔽板と、前記吸入口を開閉可能な遮蔽板とを有し、前記連通口の一部は前記エアコンに連結されていることを特徴とするものである。
【発明の効果】
【００１６】
本発明によれば、簡単な構成で、多くのかご内乗客に送風が可能なかごの空調装置を提供することができる。
【図面の簡単な説明】
【００１７】
【図１】本発明の実施の形態によるエレベータのかごの天井部をかご内から見た図である。
【図２】本発明の実施の形態によるかごの概略平面図である。
【図３】本発明の実施の形態によるかご天井部の部分断面図である。
【図４】本発明の実施の形態の動作を説明する図である。
【図５】本発明の他の実施の形態を示すかご天井部の部分断面図である。
【図６】本発明の他の実施の形態を示すかご天井部の部分平面図である。
【図７】本発明の他の実施の形態の動作を説明する図である。
【図８】本発明の他の実施の形態を示すフローチャートである。
【図９】本発明の他の実施の形態を示すフローチャートである。
【図１０】本発明の他の実施の形態を示すフローチャートである。
【図１１】本発明の他の実施の形態を示すテーブルの例である。
【図１２】従来のエレベータのかごを示す平面図及び正面図である。
【図１３】図１２のＡ−Ａ断面図及びＢ−Ｂ断面図である。
【図１４】図１３に対応する従来の動作説明図である。
【発明を実施するための形態】
【００１８】
本発明の実施の形態を図により説明する。図１はエレベータのかごの天井部をかご内から見た図、図２はかごの概略平面図、図３はかご天井部の部分断面図、図４は動作説明図である。
図において、１はかご２の天井、３はかご２の側壁である。１０は円盤状をなし、周囲が環状にかご２内に突出した躯体９を有する空調装置で、中央にはモータ１１及びこのモータの回転軸１２を備えている。この回転軸１２には躯体９内を回転する複数のファン１３が設けられており、これらのファン１３の端部１４は下方に拡張された形状になっている。躯体９の中央のかご２内側には照明装置４が設置されている。
【００１９】
ファン１３の端部１４に対向する内周側１５には、複数の固定板１６が設けられ、固定板１６同士の間の空間は空気の吸入口１７になっている。更に各吸入口１７には可動の遮蔽板１８が設けられ、遮蔽板１８をスライドさせることによって、吸入口１７を開閉する構成になっている。
２０はファン１３の端部１４に対向する外周側２１に空けられた空気の送風口であり、フィルタ２２及びルーバー２３を備えている。尚、図１ではフィルタ２２，ルーバー２３及び照明装置４は図示省略している。３０は天井１のファン１３の端部１４に対向する部分に空けられた連通口、３１は天井１の中心側（モータ１１側）と外周側とを連結する連結金具である。
【００２０】
次に本実施の形態の動作について説明する。遮蔽板１８が固定板１６と重なる位置にあるときには吸入口１７は開放している。この状態でファン１３を回転させると、かご２内の空気は、図１及び図４（ａ）の矢印ａで示すように、吸入口１７から送風口２０に流れ、かご２内の周辺から側壁３に沿って下降する。これにより、かご２内の全周にわたって送風がなされる。また、矢印ｂで示すように、外気の一部が連通口３０を通って送風口２０に流れるため、一部換気を含んだ循環モードの動作となる。
【００２１】
図４（ｂ）は、遮蔽板１８を閉じた場合を示している。この場合、吸入口１７が閉じているため、空気の流れは矢印ｂで示す流れのみとなり、換気モードの動作が行われることになる。
尚、遮蔽板１８は固定板１６と重なる位置から吸入口１７を閉じる位置までスライド可能であるが、この遮蔽板１８のスライド動作は、モータなどを使用して制御動作させてもよく、またかご２内から手動で動作させることもできる。
【００２２】
このように、本実施の形態によれば、遮蔽板１８を開閉するだけで、空気の換気モードと循環モードを切り替えることができる。また、空調装置１０は円盤状の薄型のため、従来に比べてかご２の高さを抑えることができる。
【００２３】
前記の実施の形態において、保守点検時に保守員がかご２の上に乗ったときに、連通口３０に落ちないように、連通口３０にルーバーや金網を設けてもよい。
また、外部の騒音のかご２内への侵入を防止するために、図５に示すように、連通口３０に防音カバー３２を設けても良い。更に連通口３０と防音カバー３２の間を消音細隙部としてもよい。また、吸入口１７側にもフィルタ３３を設置することもできるし、更にかご２内からファン１３の端部１４に乗客などが触れないように、吸入口１７に金網などを設けてもよい。尚、固定板１６、吸入口１７，遮蔽板１８，送風口２０，通風口３０の数や大きさは任意に決めればよい。
【００２４】
更に前記の実施の形態では、モータ１１をかご２の天井１の上面側に設置しているが、かご２内、即ち照明装置4側に設置することもできる。このようにすれば、かご２の上面の部品を削減できるため、かご上でのメンテナンス作業等が行いやすくなる。
【００２５】
次に、本発明の他の実施の形態を図６，図７により説明する。図６はかご天井部の部分平面図、図７は図４に相当する図である。
図において、４０はエアコンであり、ひとつの連通口３０  ａから空気をエアコン４０に吸入し、エアコン４０からの冷気（又は暖気）を他の連通口３０ｂからかご２内へ送る構成である。
【００２６】
このときの連通口３０ａ側は、図７に示すように、遮蔽板４１によって送風口２０を閉じた構成になっている。このため矢印ｃで示すように、空気は吸入口１７から連通口３０ａを通ってエアコン４０に送られる。
また連通口３０ｂ側は、図４（ｂ）に示すように、遮蔽板１８によって吸入口１７を閉じた構成になっている。このため矢印ｂで示すようにエアコン４０からの冷気（又は暖気）は、連通口３０（３０ｂ）から送風口２０を通ってかご２内へ送られる。
この構成により、エアコン室内機のファンを削減できるため、コストダウンになるとともに、かご上の省スペース化を図ることができる。
【００２７】
尚、エアコン４０からの冷気（又は暖気）をかご２内に満遍なく送るようにするために、冷気（又は暖気）を複数の連通口３０に送るようにすることもできる。
またエアコン４０に連結されない連通口３０には開閉自在の遮蔽板を設け、エアコン４０を使用せずに換気するときには、遮蔽板を開くようにする。また前記の実施の形態と同様に、図５に示すようにエアコン４０に連結されない連通口３０に防音カバー３２を設けたり、吸入口１７にフィルタ３３を設けても良い。
【００２８】
次に、かご２の内外の温度を検出する装置を設け、この温度によって空調装置１０を制御する例について説明する。
図８は本発明の実施の形態の一例を示すフローチャートである。ここでは、空調装置１０はインバータ制御され、ファン１３の回転数は可変としている。また、遮蔽板１８はモータ駆動によって制御されている。
【００２９】
まずステップＳ１で、予め決められた最適温度とかご内温度の大小を比較する。かご内温度が最適温度以下の場合にはステップＳ２を実行する。ステップＳ２では、空調装置１０を制御して、風量は換気最低量に必要な量まで下げ、換気比率は最大としている。これにより、かご内温度が低い場合には風量を下げ、かご内乗客に当たる風を最小にしている。
【００３０】
次に、ステップＳ１でかご内温度が最適温度より高いと判断した場合にはステップＳ３を実行する。このステップＳ３では、かご内温度と昇降路内（かご外）温度の大小を比較する。ここでかご内温度が昇降路内温度以上と判断した場合には、ステップＳ４を実行する。
ステップＳ４では、空調装置１０を制御して、風量はかご内温度と最適温度の差に比例した量にし、換気比率は昇降路内温度とかご内温度の差に比例した量にする。これにより、気温に応じた風量・換気比率となる。
【００３１】
次にステップＳ３でかご内温度が昇降路内温度より低いと判断した場合には、ステップＳ５を実行する。
このステップＳ５では、空調装置１０を制御して、風量はかご内温度と最適温度の差に比例した量にし、換気比率は最小にする。これによりかご内の温度が高い場合に、昇降路内の暖気がかご内に入ってくる量を抑えている。
【００３２】
次に、図９は本発明の実施の形態の他の例を示すフローチャートである。ここでは、空調装置１０は風量を大小に切り換え可能な比較的単純なものとしている。
まずステップＳ１０で、予め決められた最適温度とかご内温度の大小を比較する。かご内温度が最適温度以下の場合にはステップＳ１１を実行する。このステップＳ１１では、かご内温度と昇降路内（かご外）温度の大小を比較する。かご内温度が昇降路内温度以上と判断した場合には、ステップＳ１２を実行する。
【００３３】
ステップＳ１２では、空調装置１０の風量及び換気比率とも最小としている。これにより、かご内の温度が低い場合に、昇降路内の冷気がかご内に入ってくる量を最小限に抑えるとともに、かご内乗客に当たる風を最小に抑えている。
尚、図４（ａ）に示すように、連通口３０は常時開放されているため、換気比率を最小にしても、昇降路内の外気が一定量は入ってくるが、連通口３０に遮蔽板を設けるならば、換気比率をゼロにすることも可能である。
【００３４】
次に、ステップＳ１１で、かご内温度が昇降路内温度より低いと判断した場合には、ステップＳ１３を実行する。
ステップＳ１３では、空調装置１０の風量は最小、換気比率は最大としている。これにより、かご内の温度が低い場合に、昇降路内の暖気がかご内に入ってくる割合を最大にするとともに、かご内乗客に当たる風は最小に抑えている。
【００３５】
ステップＳ１０で、かご内温度が最適温度より高いと判断した場合にはステップＳ１４を実行する。このステップＳ１４では、かご内温度と昇降路内（かご外）温度の大小を比較する。かご内温度が昇降路内温度以上の場合には、ステップＳ１５を実行する。
ステップＳ１５では、空調装置１０の風量及び換気比率とも最大としている。これにより、かご内の温度が高い場合に、昇降路内の冷気がかご内に入ってくる量を最大にするとともに、かご内乗客に当たる風も最大にしている。
【００３６】
ステップＳ１４で、かご内温度が昇降路内温度より低いと判断した場合には、ステップＳ１６を実行する。
ステップＳ１６では、空調装置１０の風量を最大、換気比率を最小としている。これにより、かご内の温度が高い場合に、昇降路内の暖気がかご内に入ってくる量を最小にするとともに、かご内乗客に当たる風は最大にしている。
また、ステップＳ１２のところで説明したように、ステップＳ１６においても、換気比率をゼロにすることもできる。更に、図８の実施の形態におけるステップＳ５においても、換気比率をゼロにしても良い。
【００３７】
次に、図１０は本発明の実施の形態の他の例を示すフローチャートである。ここでは、空調装置１０は前記と同様に風量を大小に切り換え可能な比較的単純なものとしている。また最適温度を、ひとつの温度ではなく。第１温度から第２温度（第１温度＞第２温度）までの間という幅を持たせたものである。
【００３８】
まずステップＳ２０で、風量と換気比率とを任意の既定値に設定しておく。次に、ステップＳ２１で、かご内温度と第１温度の大小を比較する。かご内温度が第１温度以下の場合にはステップＳ２２を実行する。更にこのステップＳ２２で、かご内温度と第２温度の大小を比較する。かご内温度が第２温度以下の場合にはステップＳ２３を実行する。このステップＳ２３では、かご内温度と昇降路内（かご外）温度の大小を比較する。かご内温度が昇降路内温度以上の場合には、ステップＳ２４を実行する。
【００３９】
ステップＳ２４では、空調装置１０の風量及び換気比率とも最小としている。これにより、かご内の温度が低い場合に、昇降路内の冷気がかご内に入ってくる量を最小限に抑えるとともに、かご内乗客に当たる風を最小に抑えている。
次に、ステップＳ２３で、かご内温度が昇降路内温度より低いと判断した場合には、ステップＳ２５を実行する。
ステップＳ２５では、空調装置１０の風量は最小、換気比率は最大としている。これにより、かご内の温度が低い場合に、昇降路内の暖気がかご内に入ってくる割合を最大にするとともに、かご内乗客に当たる風は最小に抑えている。
【００４０】
ステップＳ２２で、かご内温度が第２温度より高いと判断した場合にはステップＳ２６を実行する。このステップＳ２６は、かご内の温度が第１温度以下でかつ第２温度より高い状態であるため、現状維持つまりステップＳ２０の既定値の状態を維持する。
【００４１】
ステップＳ２１で、かご内温度が第１温度より高いと判断した場合にはステップＳ２７を実行する。このステップＳ２７では、かご内温度と昇降路内（かご外）温度の大小を比較する。かご内温度が昇降路内温度以上の場合には、ステップＳ２８を実行する。
ステップＳ２８では、空調装置１０の風量及び換気比率とも最大としている。これにより、かご内の温度が高い場合に、昇降路内の冷気がかご内に入ってくる量を最大にするとともに、かご内乗客に当たる風も最大にしている。
【００４２】
ステップＳ２７で、かご内温度が昇降路内温度より低いと判断した場合には、ステップＳ２９を実行する。
ステップＳ２９では、空調装置１０の風量を最大、換気比率を最小としている。これにより、かご内の温度が高い場合に、昇降路内の暖気がかご内に入ってくる量を最小にするとともに、かご内乗客に当たる風は最大にしている。
【００４３】
尚、図１０の実施の形態の場合も、図９の場合と同じく、換気比率を最小にする代わりに、換気比率をゼロにしてもよい。
また、図９や図１０の実施の形態において、空調装置１０のファン１３の回転数は可変とし、かご内温度と最適温度の差や、かご内温度とかご外温度との差に応じて、風量や換気比率を制御してもよい。
【００４４】
図１１は本発明の実施の形態の他の例を示す図であり、かご内温度と湿度及びかご内温度と昇降路内（かご外）温度の差により、風量と換気比率を決定するテーブルである。この実施の形態では、空調装置１０はインバータ制御されて、ファン１３の回転数は可変としている。各図において、縦はかご内湿度、横はかご内温度であり、各湿度欄の上段の数字は風量、下段の数字は換気比率を表している。
図１１（ａ）は、かご内温度と昇降路内温度に差がない場合のテーブル、図１１（ｂ）はかご内より昇降路内のほうが温度が３度高い場合のテーブル、図１１（ｃ）はかご内のほうが昇降路内よりも温度が３度高い場合のテーブルである。この実施の形態では温度差がない場合（図１１（ａ））と昇降路内が３度高い場合（図１１（ｂ））は同一になっている。
【００４５】
テーブル内の２，８などの数字は、最大値を１０、最小値を０とした比率を示している。従って２は２０％の比率となる。
図１１のテーブルは一例であり、現場の状況や客先の要望などによって変更される。
【００４６】
以上の各実施の形態では、かご内外の温度や湿度を検出する装置を設けているが、他に臭気センサを設けてかご内外の臭気を検出し、かご内の臭気が大きいときには換気比率を上げ、かご外の臭気が大きいときには換気比率を下げ又は換気しない(かご内の空気の循環のみ)とすることもできる。また、ほこりセンサを設けて、前記臭気センサの場合と同様の制御をすることもできる。
更に、かご内の乗客数を検出する装置を設け、かご内乗客の多いときに風量を上げることもできる。
【００４７】
また、図６の実施の形態では、エアコンを設けているが、空気清浄機や除湿機を設けることもできる。更に、煙センサを設けてかご内外の煙を検出し、かご内の煙が多いときには換気比率を上げ、かご外の煙が多いときには換気しないようにしてもよい。
【００４８】
前記温度検出、ほこりセンサ、臭気センサなどは複数同時に作動させても良い。例えば、温度検出センサとほこりセンサを備え、ほこりセンサからの信号を優先させることができる。この場合、ほこりセンサがほこりを検出したときには、ほこりセンサからの信号に応じて換気比率を変更し、またほこりセンサがほこりを検出しないとき（又は、ほこりが一定量以下のとき）には温度検出による制御を行う。
また臭気センサや煙センサ等も同様に、各センサに優先順位をつけておき、優先順位の高いセンサの動作を優先することができる。
【符号の説明】
【００４９】
１  天井
２  かご  
３  側壁
４  照明装置
９  躯体
１０  空調装置
１１  モータ
１３  ファン
１４  ファンの端部
１５  内面側
１７  吸入口
１８，４１  遮蔽板
２０  送風口
２１  外周側
２２，３３  フィルタ
３０，３０ａ，３０ｂ  連通口
３２  防音カバー
４０  エアコン
【図１】
2015147627.tif 000003
【図２】
2015147627.tif 000004
【図３】
2015147627.tif 000005
【図４】
2015147627.tif 000006
【図５】
2015147627.tif 000007
【図６】
2015147627.tif 000008
【図７】
2015147627.tif 000009
【図８】
2015147627.tif 000010
【図９】
2015147627.tif 000011
【図１０】
2015147627.tif 000012
【図１１】
2015147627.tif 000013
【図１２】
2015147627.tif 000014
【図１３】
2015147627.tif 000015
【図１４】
2015147627.tif 000016